(57)【要約】【課題】文字を表示したネームタグを剣道着又は剣道用具に接着した場合であっても、外見的にネームタグが剣道着又は剣道用具に縫着されていると該剣道着又は剣道用具を見る者に看取させるネームタグを提供する。【解決手段】繊維布、フェルト地、合成皮革、又は牛革や鹿革などの本革である生地の表面に文字が表示される文字表示部及び前記文字表示部の周囲に糸により縫製された枠が表示される枠表示部が設けられており、該生地の裏面は剣道着又は剣道用具に溶着するための熱溶融型接着剤で構成されている接着部となっている。【選択図】図１
0003168834.tif 000002
【実用新案登録請求の範囲】
【請求項１】
繊維布、フェルト地、合成皮革、又は牛革や鹿革などの本革である生地の表面に文字が表示される文字表示部及び前記文字表示部の周囲に糸により縫製された枠が表示される枠表示部が設けられており、該生地の裏面は剣道着又は剣道用具に溶着するための熱溶融型接着剤で構成されている接着部となっていることを特徴とするネームタグ。
【請求項２】
前記熱溶融型接着剤は、エチレン−酢酸ビニル共重合体樹脂系のフィルム状熱溶融型接着剤であることを特徴とする請求項１記載のネームタグ。
【請求項３】
前記文字表示部は、糸による縫製、レーザー刻印、又は焼印により表示したものであることを特徴とする請求項１又は２のいずれかに記載のネームタグ。
【考案の詳細な説明】
【技術分野】
【０００１】
本考案は、持ち主などを表示するために剣道着又は剣道用具に付ける、文字及び枠を組み合わせたネームタグに関するものである。
【背景技術】
【０００２】
従来、物品の持ち主を確認するために、持ち主の名前などを表した文字を物品に表示することが行われている。
【０００３】
そして、布製などの物品に名前などの文字を表示するためには、表示したい物品に直接、名前などの文字を刺繍糸で刺繍することなどが行われて来た。例えば、祝布を産着の仕立てに適したものとしておき、それを仕立てた際につけ紐又は衿となる位置に、夫婦の名前を刺繍、染色又は織などで表わすことなどが行われている（特許文献１を参照）。
また、物品に直接、名前などの文字を書いたり、刺繍糸で刺繍したりするのではなく、裏面に熱溶融型接着剤が付いている、名前などの文字を表示したネームタグをアイロンなどの加熱手段により加圧・加熱して物品に接着する方法も行われている。
【先行技術文献】
【特許文献】
【０００４】
【特許文献１】特開２００２−２４９９６２号公報
【考案の概要】
【考案が解決しようとする課題】
【０００５】
剣道競技において用いられる剣道着又は剣道用具においても、持ち主などを明らかにするために、氏名や所属クラブ名などの文字を刺繍糸による刺繍、レーザー刻印、又は焼印などにより表示したネームタグを剣道着又は剣道用具に接着することが、従来、行われて来た。
しかし、略中央部分に文字だけが表示されたネームタグを剣道着又は剣道用具に接着するだけでは、ネームタグ自体が縫着されているものではないことが一見してわかり、見栄えがしないという問題があった。
そこで、本考案の目的は、文字を表示したネームタグを剣道着又は剣道用具に接着した場合であっても、外見的にネームタグが剣道着又は剣道用具に縫着されていると該剣道着又は剣道用具を見る者に看取させるネームタグを提供することである。
【課題を解決するための手段】
【０００６】
上記の課題を解決するために、本考案にかかるネームタグは、繊維布、フェルト地、合成皮革、又は牛革や鹿革などの本革である生地の表面に文字が表示される文字表示部及び前記文字表示部の周囲に糸により縫製された枠が表示される枠表示部が設けられており、該生地の裏面は剣道着又は剣道用具に溶着するための熱溶融型接着剤で構成されている接着部となっていることを特徴とする。
【０００７】
また、前記熱溶融型接着剤は、エチレン−酢酸ビニル共重合体樹脂系のフィルム状熱溶融型接着剤であることを特徴とする。
【０００８】
また、前記文字表示部は、糸による縫製、レーザー刻印、又は焼印により表示したものであることを特徴とする。
【考案の効果】
【０００９】
本考案にかかるネームタグは、ネームタグ裏面の接着部が熱溶融型接着剤で構成されているので、アイロンなどにより溶着することが可能であるため、剣道着又は剣道用具に縫着することなく容易にネームタグを付けることが可能である。さらに、文字表示部の周囲に糸により縫製された枠表示部が設けられているので、ネームタグが、一見、剣道着又は剣道用具に糸で縫着されているように看取できるという効果がある。
【図面の簡単な説明】
【００１０】
【図１】ネームタグ１の表面の説明図である。
【図２】ネームタグ１の裏面の説明図である。
【考案を実施するための形態】
【００１１】
以下、図面を参照しながら、本考案の実施の形態について説明する。
【実施例１】
【００１２】
図１は、本考案にかかるネームタグ１の表面の説明図である。
ネームタグ１の生地２の表面の略中央部分に持ち主の名前などが表示された文字表示部３が設けられ、さらに、前記文字表示部３の周囲には生地２を縁取るように表示された枠表示部４が設けられているという構成になっている。
このように、本考案は、剣道着又は剣道用具に付けられるネームタグであって、名前などの文字と枠を組み合わせたものである。
【００１３】
ネームタグ１が付けられる剣道着には、上着や袴などが含まれ、剣道用具には、竹刀、面、小手、胴、垂などの様々な剣道用具が含まれる。
【００１４】
生地２は、表面に文字表示部３や枠表示部４が表示されるものであり、大きさは文字表示部３及び枠表示部４が表示できるものであれば、特に限定されるものではなく、様々な大きさのものが可能である。
生地２の材料は、繊維布、フェルト地、合成皮革、又は牛革や鹿革などの本革など様々なものが使用可能である。繊維布の例としては、木綿、化学繊維、ポリエステル・綿混紡などが挙げられる。
また、生地２の生地色の例としては、紺色があげられる。ただし、紺色に限られるものではなく、黒色、エンジ色、白色、ベージュ色、茶色など様々な生地色が採用可能である。
なお、ネームタグ１の生地及び生地色とネームタグ１が付けられる剣道着又は剣道用具の生地及び生地色とは、同一である場合に限られるものではなく、異なっていてもよい。
【００１５】
文字表示部３は、持ち主の氏名や所属クラブ名などが、糸による縫製などにより文字を表示したものである。なお、糸による縫製には、刺繍糸による刺繍も含まれる。また、糸による縫製の場合に限られるものではなく、牛革や鹿革などの本革、又は合成皮革の生地２の表面をレーザーによる刻印や焼きごてなどによる焼印により文字を表示するものであっても良い。
糸による縫製の場合の糸質は、絹糸、綿糸、毛糸、合成樹脂糸など様々な素材が使用可能であり、糸色も、金茶色、金色、銀色、ベージュ色、黒色、茶色など様々な糸色が採用可能である。
【００１６】
枠表示部４は、文字表示部３の周囲に糸による縫製などにより枠を表示したものである。なお、糸による縫製には、刺繍糸による刺繍も含まれる。
文字表示部３の場合と同様に、糸による縫製の場合の糸質は、絹糸、綿糸、毛糸、合成樹脂糸など様々な素材が使用可能であり、糸色も、金茶色、金色、銀色、ベージュ色、黒色、茶色など様々な糸色が採用可能である。また、枠表示部４の糸質及び糸色は、文字表示部３の糸質及び糸色と同一である場合に限られるものではなく、異なっていてもよい。
枠の線種の例としては、点線、破線、実線など様々な線種が含まれる。また、ステッチの種類としては、ランニングステッチ、三角ステッチ、Ｅステッチなど様々なステッチが採用可能である。
枠の形状の例としては、長方形があげられる。ただし、長方形に限られるものではなく、文字表示部３を囲むものであれば、円、楕円、又は正方形など様々な形状が採用可能である。
【００１７】
図２は、本考案にかかるネームタグ１の裏面の説明図である。
生地２の裏面は接着部５となっており、熱溶融型接着剤で構成されている。アイロンなどの加熱器具で接着部５を溶融し、押圧することによりネームタグ１を剣道着又は剣道用具に溶着することができる。より具体的には、溶着するための熱溶融型接着剤で構成されている接着部５を接着したい箇所に重ね合わせて、アイロンなどの加熱手段により加圧・加熱して剣道着又は剣道用具に溶着させる。
熱溶融型接着剤としては、エチレン−酢酸ビニル共重合体樹脂系のフィルム状熱溶融型接着剤を使用する。ただし、該接着剤に限られるものではなく、ネームタグ１と剣道着又は剣道用具との間に充分な接着強度を発現できるものであれば、ポリオレフィン系、ポリアミド系、合成ゴム系、アクリル系、ポリウレタン系など様々な接着剤が選択可能である。
【符号の説明】
【００１８】
１  ネームタグ
２  生地
３  文字表示部
４  枠表示部
５  接着部
【図１】
0003168834.tif 000003
【図２】
0003168834.tif 000004